(57)【特許請求の範囲】
【請求項１】
芯により縦方向につながっている庇部と本体部とから構成される栞であり、前記庇部は前記本体部に対し前記芯を軸として９０度回転した位置にあり、前記庇部は前記本体部との接点で直交するように折れ曲がっていることを特徴とする、栞。
【発明の詳細な説明】
【技術分野】
【０００１】
栞に関する
【背景技術】
【０００２】
特許文献１によると、線材を用いたクリップが２片で構成されており、脱落防止機能をそなえている点に於いて本願発明と類似する。
【０００３】
特許文献１では、クリップの一対の挟着片で書籍を挟持する方法により脱落防止機能を実現している。一方、本願発明は本体部とつながった庇部が書籍の上辺部により支えられることで脱落防止機能を果たす。そのため特許文献１と本願発明は、脱落防止の態様および方法において異なる。
【０００４】
特許文献２によると、クリップしおりが脱落防止機能をそなえている点に於いて本願発明と類似する。
【０００５】
特許文献２では、クリップしおりが書籍の紙面を切り込みの中に挟み込む方法で脱落防止機能を実現している。一方、本願発明は本体部とつながった庇部が書籍の上辺部により支えられることで脱落防止機能を果たす。そのため特許文献２と本願発明は、脱落防止の態様および方法において異なる。
【０００６】
特許文献３によると、栞が脱落防止機能を有し、２片で栞が構成されている点に於いて本願発明と類似する。
【０００７】
特許文献３では、対向する栞本体部と栞部が書籍の紙面を挟み込む方法で脱落防止機能を実現している。一方、本願発明は本体部とつながった庇部が書籍の上辺部により支えられることで脱落防止機能を果たす。そのため特許文献３と本願発明は、脱落防止の態様および方法において異なる。
【０００８】
特許文献４によると、線材を用いた紙面挿入部と背面固定部が直交する方向に固定されている点に於いて本願発明と類似する。
【０００９】
特許文献４では、書籍装着具が背表紙を挟み込む方法で書籍に取り付けられている。一方、本願発明は庇部が書籍の上辺部に据え置くことで書籍に取り付けられる。そのため特許文献４と本願発明は、取り付けの態様および方法において異なる。
【先行技術文献】
【特許文献】
【００１０】
【特許文献１】実用新案出願公開  平３−１０８４７６公報（第１頁、第２頁）
【特許文献２】特開平５−３４５４９１公報（第２頁、第４頁）
【特許文献３】特開２００５−１３７０公報（第２頁、第９頁）
【特許文献４】特開２００９−４５８３７公報（第２頁、第９頁）
【発明の概要】
【発明が解決しようとする課題】
【００１１】
従来、本を指定箇所で見開くために、紙片等による栞または紐が広く用いられている。
【００１２】
ハードカバー本には紐による栞が付いているものあるが、文庫本、新書等には紙片等による栞が多く用いられている。
【００１３】
紙片等による栞は、本を見開く機能のために一定の大きさと剛性を有している。
【００１４】
そのため、本を見開いたとき、栞は見開いたページの一定面積を覆って読書を障害するので読書を始めるとき栞を他のページに挿し直す必要がある。
【００１５】
その上、どこのページに栞が挿し込まれていても、本が見開いた状態では、栞は剛性により本の紙面のカーブに馴染まないため、ぺージめくる度に違和感が生じる。
【００１６】
同じ原理により、うっかりすると栞が脱落する。そのため、栞が脱落しないように読書中に注意を要する。
【００１７】
本願発明は上記の弊害を一括して解決するものである。
【課題を解決するための手段】
【００１８】
上記課題を解決するために、請求項１の発明は、芯により縦方向につながっている庇部と本体部とから構成される栞であり、前記庇部は前記本体部に対し前記芯を軸として９０度回転した位置にあり、前記庇部は前記本体部との接点で直交するように折れ曲がっていることを要旨とする。
【発明の効果】
【００１９】
本願発明によれば、第一の効果として、芯の厚みによりかなり小さな形状の栞でも綴じ込みページを見開くことができる。小型化された栞は読書の障害にはならず、栞を他のページに挿し直す必要がなくなる。
【００２０】
第二の効果として、庇部が本の左右の見開き上辺部により支えられており、本を見開いた状態で栞は脱落することなく、ページをめくるときも栞は脱落せず、栞の置かれた状態はそのまま維持される。
【００２１】
第三の効果として、芯の厚みにより見開き機能を十分に発揮できるため、栞本体に用いられる平面素材に剛性を持たせる必要が無いこと。ならびに、芯は本の見開きの綴じ合せ部分に近接して縦方向に配置されることから、栞は本の紙面のカーブに馴染みやすい。そのため、栞を置いた状態でページをめくるときの違和感が小さい。
【００２２】
第四の効果として、例えば樹脂又は金属等の細い線材を芯に用いれば、軽量で柔軟性のある製品にすることができる。また構造が簡単なことから製造コストが小さい。本願発明の栞は本の外形の大小、厚薄を問わずあらゆる書籍での利用が可能で、特に外出時の文庫本、新書などの読書に利用されると効果的である。
【図面の簡単な説明】
【００２３】
【図１】栞の正面図
【図２】栞の側面図
【図３】栞の斜視図
【図４】栞の実施図（鳥瞰）
【図５】栞の実施図（上面）
【発明を実施するための形態】
【００２４】
図１は本願発明による栞の正面図である。芯４は、例えば薄い紙、フィルム、薄膜金属などの剛性の小さい平面素材７によって挟み込まれている。そのため庇部１の垂直面に注目すると、芯４は平面素材７よりも厚みがあるので、平面素材７より上下に膨らんでいる。本体部２に注目すると、芯４は同様に平面素材７より左右に膨らんでいる。つまみ３については、庇部１と同様である。また、庇部１は接点５で本体部２と直交した状態にある。
【００２５】
図２は本願発明による栞の側面図である。庇部１は接点５で水平に折れ曲がっている。つまみ３は栞の本への取り付け、取外しに便利なように本体部２の下部を折曲線６で折り曲げて作られている。
【００２６】
図３は本願発明による栞の斜視図である。庇部１は接点５で芯４を軸として、本体部２に対して９０度回転した位置で正面に折り曲がっている。
【００２７】
図４は本願発明による栞の実施状態を示す鳥瞰図である。庇部１が本８の上辺部に据え置かれている。庇部１の左側は庇部１の底辺を通って本８に支えられており、一方、右側は、庇部１の側辺を通って支えられている。このように本８の上辺部が庇部１の底辺、又は側辺のいずれを通っても栞の脱落を防止できる。また、本体部２の芯４は本８の見開きの綴じ合せ部分に近接して縦方向に配置されている。
【００２８】
図５は本願発明による栞の実施状態を示す上面図である。本８が１８０度開かれた状態でも据え置かれた庇部１は、本８の上辺部で支えられており脱落することはない。仮に本８が180度以上開かれたとしても、栞は庇部１のいずれかの部分が本８の上辺の左右二ヶ所で支えられることとなるので、脱落を防止することができる。
【産業上の利用可能性】
【００２９】
簡単な仕組みでありながら明らかな効果を有する本願発明による栞は、あらゆる読書の機会で広く利便性を向上させる可能性がある。
【符号の説明】
【００３０】
１  庇部
２  本体部
３  つまみ
４  芯
５  接点
６  折曲線
７  平面素材
８  本
【要約】
【課題】紙片等による栞は、本を見開いたとき、栞は見開いたページの一定面積を覆って読書を障害する。従って読書を始めるとき栞を他のページに挿し直すことが必要となる。また、栞はその剛性により本を見開いたときの紙面のカーブに馴染まず、ぺージめくる度に違和感があり、うっかりすると栞は脱落する。本願発明はそういった弊害を一括して解決する。
【解決手段】脱落防止のために栞に庇部分を設け、芯の厚みを利用して栞を小片化し、同時に本の見開き機能を確保する。
【選択図】図４【図１】
0005563729.tif 000002
【図２】
0005563729.tif 000003
【図３】
0005563729.tif 000004
【図４】
0005563729.tif 000005
【図５】
0005563729.tif 000006